(57)【要約】【課題】有線で監視カメラの画像データを安定して送受信することにより、信頼性の高い監視を実施できるとともに、既に設置されているセンサの電源線を用いて電源の供給、データを送受信することにより、監視カメラシステムを容易に導入できること。【解決手段】監視領域における異常を検知するセンサ１２０が電源線で接続されている警備装置１１０において、第１のｘＤＳＬ信号制御手段１１２は、直流電源信号と監視カメラ制御信号とを合成してｘＤＳＬ信号として電源線を用いて送信し、第２のｘＤＳＬ信号制御手段１２１は、第１のｘＤＳＬ信号制御手段１１２から送信されたｘＤＳＬ信号を受信し、直流電源信号と監視カメラ制御信号とに分配し、第２のｘＤＳＬ信号制御手段１２１は、監視カメラの画像データをｘＤＳＬ信号として第１のｘＤＳＬ信号制御手段１１２に送信し、第１のｘＤＳＬ信号制御手段１１２は、ｘＤＳＬ信号を受信する。【選択図】        図１
2006134023.tif 000002
【特許請求の範囲】
【請求項１】
監視領域における異常を検知するセンサを備え、前記センサと電源線で接続されている警備装置において、
直流電源信号と第１のデータ信号とを合成してｘＤＳＬ信号として前記電源線を用いて送信する第１のｘＤＳＬ信号制御手段と、
前記第１のｘＤＳＬ信号制御手段から送信された前記ｘＤＳＬ信号を受信し、受信した前記ｘＤＳＬ信号を前記直流電源信号と前記第１のデータ信号とに分配する第２のｘＤＳＬ信号制御手段と、を備え、
前記第２のｘＤＳＬ信号制御手段は、さらに第２のデータ信号をｘＤＳＬ信号として前記電源線を用いて前記第１のｘＤＳＬ信号制御手段に送信し、
前記第１のｘＤＳＬ信号制御手段は、さらに前記第２のｘＤＳＬ信号制御手段から送信された前記ｘＤＳＬ信号を受信すること、を特徴とする警備装置。
【請求項２】
前記第１のｘＤＳＬ信号制御手段は、さらに前記第１のデータ信号をｘＤＳＬ信号に変換し、変換した前記ｘＤＳＬ信号と直流電源信号と合成してｘＤＳＬ信号として送信し、
前記第２のｘＤＳＬ信号制御手段は、さらに前記第１のｘＤＳＬ信号制御手段から送信された前記ｘＤＳＬ信号を受信し、受信した前記ｘＤＳＬ信号を前記直流電源信号とｘＤＳＬ信号とに分配し、さらに当該ｘＤＳＬ信号を前記第１のデータ信号に変換し、
前記第２のｘＤＳＬ信号制御手段は、さらに第２のデータ信号をｘＤＳＬ信号に変換し、変換した前記ｘＤＳＬ信号を前記第１のｘＤＳＬ信号制御手段に送信すること、を特徴とする請求項１に記載の警備装置。
【請求項３】
前記第１のｘＤＳＬ信号制御手段は、前記第１のデータ信号として前記監視領域を撮影する監視カメラを制御する監視カメラ制御信号をｘＤＳＬ信号に変換し、変換した前記ｘＤＳＬ信号と前記直流電源信号とを合成してｘＤＳＬ信号として送信し、
前記第２のｘＤＳＬ信号制御手段は、さらに受信した前記ｘＤＳＬ信号を前記直流電源信号とｘＤＳＬ信号とに分配し当該ｘＤＳＬ信号を前記監視カメラ制御信号に変換し、分配した前記直流電源信号を前記センサと前記監視カメラに送信し、変換した前記監視カメラ制御信号を前記監視カメラに送信し、前記第２のデータ信号として前記監視カメラが撮像した画像データをｘＤＳＬ信号に変換して送信すること、を特徴とする請求項２に記載の警備装置。
【請求項４】
前記第２のｘＤＳＬ信号制御手段は、さらに前記第２のデータ信号として前記監視カメラが集音した音声データをｘＤＳＬ信号に変換して送信すること、を特徴とする請求項３に記載の警備装置。
【請求項５】
警備の開始または解除を指示する警備指示手段を備え、前記警備指示手段と電源線で接続されている警備装置において、
直流電源信号と前記第１のデータ信号とを合成してｘＤＳＬ信号として前記電源線を用いて送信する第１のｘＤＳＬ信号制御手段と、
前記第１のｘＤＳＬ信号制御手段から送信された前記ｘＤＳＬ信号を受信し、受信した前記ｘＤＳＬ信号を前記直流電源信号と前記第１のデータ信号とに分配する第２のｘＤＳＬ信号制御手段と、を備え、
前記第２のｘＤＳＬ信号制御手段は、さらに第２のデータ信号をｘＤＳＬ信号として前記電源線を用いて前記第１のｘＤＳＬ信号制御手段に送信し、
前記第１のｘＤＳＬ信号制御手段は、さらに前記第２のｘＤＳＬ信号制御手段から送信された前記ｘＤＳＬ信号を受信すること、を特徴とする警備装置。
【請求項６】
前記第１のｘＤＳＬ信号制御手段は、さらに前記第１のデータ信号をｘＤＳＬ信号に変換し、変換した前記ｘＤＳＬ信号と直流電源信号と合成してｘＤＳＬ信号として送信し、
前記第２のｘＤＳＬ信号制御手段は、さらに前記第１のｘＤＳＬ信号制御手段から送信された前記ｘＤＳＬ信号を受信し、受信した前記ｘＤＳＬ信号を前記直流電源信号とｘＤＳＬ信号とに分配し、さらに当該ｘＤＳＬ信号を前記第１のデータ信号に変換し、
前記第２のｘＤＳＬ信号制御手段は、さらに第２のデータ信号をｘＤＳＬ信号に変換し、変換した前記ｘＤＳＬ信号を前記第１のｘＤＳＬ信号制御手段に送信すること、を特徴とする請求項５に記載の警備装置。
【請求項７】
前記第１のｘＤＳＬ信号制御手段は、前記第１のデータ信号として前記監視領域を撮影する監視カメラを制御する監視カメラ制御信号をｘＤＳＬ信号に変換し、変換した前記ｘＤＳＬ信号と前記直流電源信号とを合成してｘＤＳＬ信号として送信し、
前記第２のｘＤＳＬ信号制御手段は、さらに受信した前記ｘＤＳＬ信号を前記直流電源信号とｘＤＳＬ信号とに分配し当該ｘＤＳＬ信号を前記監視カメラ制御信号に変換し、分配した前記直流電源信号を前記警備指示手段と前記監視カメラに送信し、変換した前記監視カメラ制御信号を前記監視カメラに送信し、前記第２のデータ信号として前記監視カメラが撮像した画像データをｘＤＳＬ信号に変換して送信すること、を特徴とする請求項６に記載の警備装置。
【請求項８】
前記第２のｘＤＳＬ信号制御手段は、さらに前記第２のデータ信号として前記監視カメラが集音した音声データをｘＤＳＬ信号に変換して送信すること、を特徴とする請求項７に記載の警備装置。
【請求項９】
前記第１のｘＤＳＬ制御手段は、直流電源信号のみを通過させるローパスフィルタを有することを特徴とする請求項１〜８のいずれか一つに記載の警備装置。
【請求項１０】
監視領域における異常を検知する複数のセンサの電源線がバス接続されており、前記センサの１つと前記電源線で接続されている警備装置において、
直流電源信号と第１のデータ信号とを合成してｘＤＳＬ信号として前記電源線を用いて送信する第１のｘＤＳＬ信号制御手段と、
前記第１のｘＤＳＬ信号制御手段から送信された前記ｘＤＳＬ信号を受信し、受信した前記ｘＤＳＬ信号を前記直流電源信号と前記第１のデータ信号に分配し、分配した前記直流電源信号と前記第１のデータ信号を送信する第２のｘＤＳＬ信号制御手段と、
前記第２のｘＤＳＬ信号制御手段から送信された前記直流電源信号と前記第１のデータ信号とを受信し、受信した前記直流電源信号と前記第１のデータ信号とを合成して前記ｘＤＳＬ信号として前記電源線を用いて送信する第３のｘＤＳＬ信号制御手段と、
第３のｘＤＳＬ信号制御手段から送信された前記ｘＤＳＬ信号を受信し、受信した前記ｘＤＳＬ信号を前記直流電源信号と前記第１のデータ信号に分配する第４のｘＤＳＬ信号制御手段と、を備え、
前記第４のｘＤＳＬ信号制御手段は、さらに第２のデータ信号をｘＤＳＬ信号として前記電源線を用いて送信し、
前記第３のｘＤＳＬ信号制御手段は、さらに前記第４のｘＤＳＬ信号制御手段から送信された前記ｘＤＳＬ信号を前記第２のデータ信号として送信し、
前記第２のｘＤＳＬ信号制御手段は、さらに前記第３のｘＤＳＬ信号制御手段から送信された前記第２のデータ信号を前記ｘＤＳＬ信号として前記電源線を用いて送信し、
前記第１のｘＤＳＬ信号制御手段は、さらに前記第２のｘＤＳＬ信号制御手段から送信された前記ｘＤＳＬ信号を受信すること、を特徴とする警備装置。
【請求項１１】
前記第１のｘＤＳＬ信号制御手段は、前記第１のデータ信号として前記監視領域を撮影する監視カメラを制御する監視カメラ制御信号と前記直流電源信号とを合成してｘＤＳＬ信号として送信し、
前記第２のｘＤＳＬ信号制御手段は、さらに受信した前記ｘＤＳＬ信号を前記直流電源信号と前記監視カメラ制御信号とに分配し、分配した前記直流電源信号を前記センサと前記監視カメラに送信し、分配した前記監視カメラ制御信号を前記監視カメラに送信し、
前記第３のｘＤＳＬ信号制御手段は、前記第１のデータ信号として前記監視カメラ制御信号と前記直流電源信号とを合成してｘＤＳＬ信号として送信し、
前記第４のｘＤＳＬ信号制御手段は、前記第２のデータ信号として前記監視カメラが撮像した画像データをｘＤＳＬ信号として送信すること、を特徴とする請求項１０に記載の警備装置。
【請求項１２】
前記第４のｘＤＳＬ信号制御手段は、さらに前記第２のデータ信号として前記監視カメラが集音した音声データをｘＤＳＬ信号として送信すること、を特徴とする請求項１１に記載の警備装置。
【請求項１３】
監視領域における異常を検知するセンサを備え、前記センサと電源線で接続されている警備装置と、前記警備装置とネットワークに接続され、前記警備装置が送信した警報を受信して前記監視領域を監視する監視センタと、を備える監視システムにおいて、
前記警備装置は、
直流電源信号と第１のデータ信号とを合成してｘＤＳＬ信号として前記電源線を用いて送信する第１のｘＤＳＬ信号制御手段と、
前記第１のｘＤＳＬ信号制御手段から送信された前記ｘＤＳＬ信号を受信し、受信した前記ｘＤＳＬ信号を前記直流電源信号と前記第１のデータ信号とに分配する第２のｘＤＳＬ信号制御手段と、を備え、
前記第２のｘＤＳＬ信号制御手段は、さらに第２のデータ信号をｘＤＳＬ信号として前記電源線を用いて前記第１のｘＤＳＬ信号制御手段に送信し、
前記第１のｘＤＳＬ信号制御手段は、さらに前記第１のｘＤＳＬ信号制御手段から送信された前記ｘＤＳＬ信号を受信すること、を特徴とする監視システム。
【請求項１４】
警備の開始または解除を指示する警備指示手段を備え、前記警備指示手段と電源線で接続されている警備装置と、前記警備装置とネットワークに接続され、前記警備装置が送信した警報を受信して前記監視領域を監視する監視センタと、を備える監視システムにおいて、
前記警備装置は、
直流電源信号と前記第１のデータ信号とを合成してｘＤＳＬ信号として前記電源線を用いて送信する第１のｘＤＳＬ信号制御手段と、
前記第１のｘＤＳＬ信号制御手段から送信された前記ｘＤＳＬ信号を受信し、受信した前記ｘＤＳＬ信号を前記直流電源信号と前記第１のデータ信号とに分配する第２のｘＤＳＬ信号制御手段と、を備え、
前記第２のｘＤＳＬ信号制御手段は、さらに第２のデータ信号をｘＤＳＬ信号として前記電源線を用いて前記第１のｘＤＳＬ信号制御手段に送信し、
前記第１のｘＤＳＬ信号制御手段は、さらに前記第１のｘＤＳＬ信号制御手段から送信された前記ｘＤＳＬ信号を受信すること、を特徴とする監視システム。
【請求項１５】
監視領域における異常を検知する複数のセンサの電源線がバス接続されており、前記センサの１つと前記電源線で接続されている警備装置と、前記警備装置とネットワークに接続され、前記警備装置が送信した警報を受信して前記監視領域を監視する監視センタと、を備える監視システムにおいて、
前記警備装置は、
直流電源信号と第１のデータ信号とを合成してｘＤＳＬ信号として前記電源線を用いて送信する第１のｘＤＳＬ信号制御手段と、
前記第１のｘＤＳＬ信号制御手段から送信された前記ｘＤＳＬ信号を受信し、受信した前記ｘＤＳＬ信号を前記直流電源信号と前記第１のデータ信号に分配し、分配した前記直流電源信号と前記第１のデータ信号を送信する第２のｘＤＳＬ信号制御手段と、
前記第２のｘＤＳＬ信号制御手段から送信された前記直流電源信号と前記第１のデータ信号とを受信し、受信した前記直流電源信号と前記第１のデータ信号とを合成して前記ｘＤＳＬ信号として前記電源線を用いて送信する第３のｘＤＳＬ信号制御手段と、
第３のｘＤＳＬ信号制御手段から送信された前記ｘＤＳＬ信号を受信し、受信した前記ｘＤＳＬ信号を前記直流電源信号と前記第１のデータ信号に分配する第４のｘＤＳＬ信号制御手段と、を備え、
前記第４のｘＤＳＬ信号制御手段は、さらに第２のデータ信号をｘＤＳＬ信号として前記電源線を用いて送信し、
前記第３のｘＤＳＬ信号制御手段は、さらに前記第４のｘＤＳＬ信号制御手段から送信された前記ｘＤＳＬ信号を前記第２のデータ信号として送信し、
前記第２のｘＤＳＬ信号制御手段は、さらに前記第３のｘＤＳＬ信号制御手段から送信された前記第２のデータ信号を前記ｘＤＳＬ信号として前記電源線を用いて送信し、
前記第１のｘＤＳＬ信号制御手段は、さらに前記第２のｘＤＳＬ信号制御手段から送信された前記ｘＤＳＬ信号を受信すること、を特徴とする監視システム。
【発明の詳細な説明】
【技術分野】
【０００１】
本発明は、監視領域における異常を検知するセンサが接続されている警備装置、警備装置を含む監視システムに関し、特に既存の設備を利用して簡易な工事で監視カメラの設置を可能とする技術に関する。
【背景技術】
【０００２】
従来、センサが設置してある監視領域に対し映像による監視を行うために新たに監視カメラシステムを導入する場合には、警備装置と監視カメラの間に画像データを送信できるケーブル（同軸ケーブルなど）を配線して監視カメラを設置することが一般的である。
【０００３】
監視カメラシステムを導入する際に行われる警備装置と監視カメラの間に同軸ケーブルを配線する工事は、美観や防犯上の面から配線を壁の中に通す必要がある。このため、工事が大規模となり長期の工事期間と多大な工事費用を要するため、既存の警備システムに監視カメラシステムを追加することが困難であった。このような既存の警備システムに新たな装置やシステムを導入する場合における配線工事の問題を解決するために、センサから無線で検知データを送信することにより、センサの設置に配線を要しないという技術が公開されている（例えば、特許文献１参照）。
【０００４】
【特許文献１】特開平６−１３９４８３号公報
【発明の開示】
【発明が解決しようとする課題】
【０００５】
しかしながら、上述の特許文献１の技術によるデータ伝送は、無線の特性上、設置環境や伝送距離によって通信が不安定になり、信頼性が低いという問題がある。また、無線によるデータ伝送では盗聴の危険性があり、監視システムで利用するには問題があった。
【０００６】
本発明は、上記に鑑みてなされたものであって、膨大なデータ量となる画像データを安定して送信することにより、信頼性の高い映像による監視を可能とするともに、既に設置されているセンサの監視領域に対し、長期の工事期間や膨大な工事費用をかけずに、監視カメラを容易に設置することを目的とする。
【課題を解決するための手段】
【０００７】
上述した課題を解決し、目的を達成するために、請求項１にかかる発明は、監視領域における異常を検知するセンサを備え、前記センサと電源線で接続されている警備装置において、直流電源信号と第１のデータ信号とを合成してｘＤＳＬ信号として前記電源線を用いて送信する第１のｘＤＳＬ信号制御手段と、前記第１のｘＤＳＬ信号制御手段から送信された前記ｘＤＳＬ信号を受信し、受信した前記ｘＤＳＬ信号を前記直流電源信号と前記第１のデータ信号とに分配する第２のｘＤＳＬ信号制御手段と、を備え、前記第２のｘＤＳＬ信号制御手段は、さらに第２のデータ信号をｘＤＳＬ信号として前記電源線を用いて前記第１のｘＤＳＬ信号制御手段に送信し、前記第１のｘＤＳＬ信号制御手段は、さらに前記第２のｘＤＳＬ信号制御手段から送信された前記ｘＤＳＬ信号を受信すること、を特徴とする。
【０００８】
また、請求項２にかかる発明は、請求項１に記載の警備装置において、前記第１のｘＤＳＬ信号制御手段は、さらに前記第１のデータ信号をｘＤＳＬ信号に変換し、変換した前記ｘＤＳＬ信号と直流電源信号と合成してｘＤＳＬ信号として送信し、前記第２のｘＤＳＬ信号制御手段は、さらに前記第１のｘＤＳＬ信号制御手段から送信された前記ｘＤＳＬ信号を受信し、受信した前記ｘＤＳＬ信号を前記直流電源信号とｘＤＳＬ信号とに分配し、さらに当該ｘＤＳＬ信号を前記第１のデータ信号に変換し、前記第２のｘＤＳＬ信号制御手段は、さらに第２のデータ信号をｘＤＳＬ信号に変換し、変換した前記ｘＤＳＬ信号を前記第１のｘＤＳＬ信号制御手段に送信すること、を特徴とする。
【０００９】
また、請求項３にかかる発明は、請求項２に記載の警備装置において、前記第１のｘＤＳＬ信号制御手段は、前記第１のデータ信号として前記監視領域を撮影する監視カメラを制御する監視カメラ制御信号をｘＤＳＬ信号に変換し、変換した前記ｘＤＳＬ信号と前記直流電源信号とを合成してｘＤＳＬ信号として送信し、前記第２のｘＤＳＬ信号制御手段は、さらに受信した前記ｘＤＳＬ信号を前記直流電源信号とｘＤＳＬ信号に分配し当該ｘＤＳＬ信号を前記監視カメラ制御信号に変換し、分配した前記直流電源信号を前記センサと前記監視カメラに送信し、変換した前記監視カメラ制御信号を前記監視カメラに送信し、前記第２のデータ信号として前記監視カメラが撮像した画像データをｘＤＳＬ信号に変換して送信すること、を特徴とする。
【００１０】
また、請求項４にかかる発明は、請求項３に記載の警備装置において、前記第２のｘＤＳＬ信号制御手段は、さらに前記第２のデータ信号として前記監視カメラが集音した音声データをｘＤＳＬ信号に変換して送信すること、を特徴とする。
【００１１】
また、請求項５にかかる発明は、警備の開始または解除を指示する警備指示手段を備え、前記警備指示手段と電源線で接続されている警備装置において、直流電源信号と前記第１のデータ信号とを合成してｘＤＳＬ信号として前記電源線を用いて送信する第１のｘＤＳＬ信号制御手段と、前記第１のｘＤＳＬ信号制御手段から送信された前記ｘＤＳＬ信号を受信し、受信した前記ｘＤＳＬ信号を前記直流電源信号と前記第１のデータ信号とに分配する第２のｘＤＳＬ信号制御手段と、を備え、前記第２のｘＤＳＬ信号制御手段は、さらに第２のデータ信号をｘＤＳＬ信号として前記電源線を用いて前記第１のｘＤＳＬ信号制御手段に送信し、前記第１のｘＤＳＬ信号制御手段は、さらに前記第２のｘＤＳＬ信号制御手段から送信された前記ｘＤＳＬ信号を受信すること、を特徴とする。
【００１２】
また、請求項６にかかる発明は、請求項５に記載の警備装置において、前記第１のｘＤＳＬ信号制御手段は、さらに前記第１のデータ信号をｘＤＳＬ信号に変換し、変換した前記ｘＤＳＬ信号と直流電源信号と合成してｘＤＳＬ信号として送信し、前記第２のｘＤＳＬ信号制御手段は、さらに前記第１のｘＤＳＬ信号制御手段から送信された前記ｘＤＳＬ信号を受信し、受信した前記ｘＤＳＬ信号を前記直流電源信号とｘＤＳＬ信号とに分配し、さらに当該ｘＤＳＬ信号を前記第１のデータ信号に変換し、前記第２のｘＤＳＬ信号制御手段は、さらに第２のデータ信号をｘＤＳＬ信号に変換し、変換した前記ｘＤＳＬ信号を前記第１のｘＤＳＬ信号制御手段に送信すること、を特徴とする。
【００１３】
また、請求項７にかかる発明は、請求項６に記載の警備装置において、前記第１のｘＤＳＬ信号制御手段は、前記第１のデータ信号として前記監視領域を撮影する監視カメラを制御する監視カメラ制御信号をｘＤＳＬ信号に変換し、変換した前記ｘＤＳＬ信号と前記直流電源信号とを合成してｘＤＳＬ信号として送信し、前記第２のｘＤＳＬ信号制御手段は、さらに受信した前記ｘＤＳＬ信号を前記直流電源信号とｘＤＳＬ信号とに分配し当該ｘＤＳＬ信号を前記監視カメラ制御信号に変換し、分配した前記直流電源信号を前記警備指示手段と前記監視カメラに送信し、変換した前記監視カメラ制御信号を前記監視カメラに送信し、前記第２のデータ信号として前記監視カメラが撮像した画像データをｘＤＳＬ信号に変換して送信すること、を特徴とする。
【００１４】
また、請求項８にかかる発明は、請求項７に記載の警備装置において、前記第２のｘＤＳＬ信号制御手段は、さらに前記第２のデータ信号として前記監視カメラが集音した音声データをｘＤＳＬ信号に変換して送信すること、を特徴とする。
【００１５】
また、請求項９にかかる発明は、請求項１〜８のいずれか一つに記載の警備装置において、前記第１のｘＤＳＬ制御手段は、直流電源信号のみを通過させるローパスフィルタを有することを特徴とする。
【００１６】
また、請求項１０にかかる発明は、監視領域における異常を検知する複数のセンサの電源線がバス接続されており、前記センサの１つと前記電源線で接続されている警備装置において、直流電源信号と第１のデータ信号とを合成してｘＤＳＬ信号として前記電源線を用いて送信する第１のｘＤＳＬ信号制御手段と、前記第１のｘＤＳＬ信号制御手段から送信された前記ｘＤＳＬ信号を受信し、受信した前記ｘＤＳＬ信号を前記直流電源信号と前記第１のデータ信号に分配し、分配した前記直流電源信号と前記第１のデータ信号を送信する第２のｘＤＳＬ信号制御手段と、前記第２のｘＤＳＬ信号制御手段から送信された前記直流電源信号と前記第１のデータ信号とを受信し、受信した前記直流電源信号と前記第１のデータ信号とを合成して前記ｘＤＳＬ信号として前記電源線を用いて送信する第３のｘＤＳＬ信号制御手段と、第３のｘＤＳＬ信号制御手段から送信された前記ｘＤＳＬ信号を受信し、受信した前記ｘＤＳＬ信号を前記直流電源信号と前記第１のデータ信号に分配する第４のｘＤＳＬ信号制御手段と、を備え、前記第４のｘＤＳＬ信号制御手段は、さらに第２のデータ信号をｘＤＳＬ信号として前記電源線を用いて送信し、前記第３のｘＤＳＬ信号制御手段は、さらに前記第４のｘＤＳＬ信号制御手段から送信された前記ｘＤＳＬ信号を前記第２のデータ信号として送信し、前記第２のｘＤＳＬ信号制御手段は、さらに前記第３のｘＤＳＬ信号制御手段から送信された前記第２のデータ信号を前記ｘＤＳＬ信号として前記電源線を用いて送信し、前記第１のｘＤＳＬ信号制御手段は、さらに前記第２のｘＤＳＬ信号制御手段から送信された前記ｘＤＳＬ信号を受信すること、を特徴とする。
【００１７】
また、請求項１１にかかる発明は、請求項１０に記載の警備装置において、前記第１のｘＤＳＬ信号制御手段は、前記第１のデータ信号として前記監視領域を撮影する監視カメラを制御する監視カメラ制御信号と前記直流電源信号とを合成してｘＤＳＬ信号として送信し、前記第２のｘＤＳＬ信号制御手段は、さらに受信した前記ｘＤＳＬ信号を前記直流電源信号と前記監視カメラ制御信号とに分配し、分配した前記直流電源信号を前記センサと前記監視カメラに送信し、分配した前記監視カメラ制御信号を前記監視カメラに送信し、前記第３のｘＤＳＬ信号制御手段は、前記第１のデータ信号として前記監視カメラ制御信号と前記直流電源信号とを合成してｘＤＳＬ信号として送信し、前記第４のｘＤＳＬ信号制御手段は、前記第２のデータ信号として前記監視カメラが撮像した画像データをｘＤＳＬ信号として送信すること、を特徴とする。
【００１８】
また、請求項１２にかかる発明は、請求項１１に記載の警備装置において、前記第４のｘＤＳＬ信号制御手段は、さらに前記第２のデータ信号として前記監視カメラが集音した音声データをｘＤＳＬ信号として送信すること、を特徴とする。
【００１９】
また、請求項１３にかかる発明は、監視領域における異常を検知するセンサを備え、前記センサと電源線で接続されている警備装置と、前記警備装置とネットワークに接続され、前記警備装置が送信した警報を受信して前記監視領域を監視する監視センタと、を備える監視システムにおいて、前記警備装置は、直流電源信号と第１のデータ信号とを合成してｘＤＳＬ信号として前記電源線を用いて送信する第１のｘＤＳＬ信号制御手段と、前記第１のｘＤＳＬ信号制御手段から送信された前記ｘＤＳＬ信号を受信し、受信した前記ｘＤＳＬ信号を前記直流電源信号と前記第１のデータ信号とに分配する第２のｘＤＳＬ信号制御手段と、を備え、前記第２のｘＤＳＬ信号制御手段は、さらに第２のデータ信号をｘＤＳＬ信号として前記電源線を用いて前記第１のｘＤＳＬ信号制御手段に送信し、前記第１のｘＤＳＬ信号制御手段は、さらに前記第１のｘＤＳＬ信号制御手段から送信された前記ｘＤＳＬ信号を受信すること、を特徴とする。
【００２０】
また、請求項１４にかかる発明は、警備の開始または解除を指示する警備指示手段を備え、前記警備指示手段と電源線で接続されている警備装置と、前記警備装置とネットワークに接続され、前記警備装置が送信した警報を受信して前記監視領域を監視する監視センタと、を備える監視システムにおいて、前記警備装置は、直流電源信号と前記第１のデータ信号とを合成してｘＤＳＬ信号として前記電源線を用いて送信する第１のｘＤＳＬ信号制御手段と、前記第１のｘＤＳＬ信号制御手段から送信された前記ｘＤＳＬ信号を受信し、受信した前記ｘＤＳＬ信号を前記直流電源信号と前記第１のデータ信号とに分配する第２のｘＤＳＬ信号制御手段と、を備え、前記第２のｘＤＳＬ信号制御手段は、さらに第２のデータ信号をｘＤＳＬ信号として前記電源線を用いて前記第１のｘＤＳＬ信号制御手段に送信し、前記第１のｘＤＳＬ信号制御手段は、さらに前記第１のｘＤＳＬ信号制御手段から送信された前記ｘＤＳＬ信号を受信すること、を特徴とする。
【００２１】
また、請求項１５にかかる発明は、監視領域における異常を検知する複数のセンサの電源線がバス接続されており、前記センサの１つと前記電源線で接続されている警備装置と、前記警備装置とネットワークに接続され、前記警備装置が送信した警報を受信して前記監視領域を監視する監視センタと、を備える監視システムにおいて、前記警備装置は、直流電源信号と第１のデータ信号とを合成してｘＤＳＬ信号として前記電源線を用いて送信する第１のｘＤＳＬ信号制御手段と、前記第１のｘＤＳＬ信号制御手段から送信された前記ｘＤＳＬ信号を受信し、受信した前記ｘＤＳＬ信号を前記直流電源信号と前記第１のデータ信号に分配し、分配した前記直流電源信号と前記第１のデータ信号を送信する第２のｘＤＳＬ信号制御手段と、前記第２のｘＤＳＬ信号制御手段から送信された前記直流電源信号と前記第１のデータ信号とを受信し、受信した前記直流電源信号と前記第１のデータ信号とを合成して前記ｘＤＳＬ信号として前記電源線を用いて送信する第３のｘＤＳＬ信号制御手段と、第３のｘＤＳＬ信号制御手段から送信された前記ｘＤＳＬ信号を受信し、受信した前記ｘＤＳＬ信号を前記直流電源信号と前記第１のデータ信号に分配する第４のｘＤＳＬ信号制御手段と、を備え、前記第４のｘＤＳＬ信号制御手段は、さらに第２のデータ信号をｘＤＳＬ信号として前記電源線を用いて送信し、前記第３のｘＤＳＬ信号制御手段は、さらに前記第４のｘＤＳＬ信号制御手段から送信された前記ｘＤＳＬ信号を前記第２のデータ信号として送信し、前記第２のｘＤＳＬ信号制御手段は、さらに前記第３のｘＤＳＬ信号制御手段から送信された前記第２のデータ信号を前記ｘＤＳＬ信号として前記電源線を用いて送信し、前記第１のｘＤＳＬ信号制御手段は、さらに前記第２のｘＤＳＬ信号制御手段から送信された前記ｘＤＳＬ信号を受信すること、を特徴とする。
【発明の効果】
【００２２】
請求項１にかかる発明によれば、第１のｘＤＳＬ信号制御手段によって、直流電源信号と第１のデータ信号とを合成してｘＤＳＬ信号として電源線を用いて送信し、第２のｘＤＳＬ信号制御手段によって、第１のｘＤＳＬ信号制御手段から送信されたｘＤＳＬ信号を受信し、受信したｘＤＳＬ信号を直流電源信号と第１のデータ信号とに分配し、第２のｘＤＳＬ信号制御手段は、さらに第２のデータ信号をｘＤＳＬ信号として電源線を用いて第１のｘＤＳＬ信号制御手段に送信し、第１のｘＤＳＬ信号制御手段は、さらに第２のｘＤＳＬ信号制御手段から送信されたｘＤＳＬ信号を受信することにより、監視カメラが撮像した画像データを有線で安定して送受信することができるため、信頼性の高い監視ができるという効果を奏する。また、既存のセンサの電源線を用いて新たに設置する監視カメラなどの装置に電源を供給でき、データの送受信ができるため、新たな設備の配線工事を行う必要がなく、工事期間を短縮でき、工事費用を削減できるという効果を奏する。
【００２３】
また、請求項２にかかる発明によれば、第１のｘＤＳＬ信号制御手段は、さらに第１のデータ信号をｘＤＳＬ信号に変換し、変換したｘＤＳＬ信号と直流電源信号と合成してｘＤＳＬ信号として送信し、第２のｘＤＳＬ信号制御手段は、さらに第１のｘＤＳＬ信号制御手段から送信されたｘＤＳＬ信号を受信し、受信したｘＤＳＬ信号を直流電源信号とｘＤＳＬ信号とに分配し、さらに当該ｘＤＳＬ信号を前記第１のデータ信号に変換し、第２のｘＤＳＬ信号制御手段は、さらに第２のデータ信号をｘＤＳＬ信号に変換し、変換したｘＤＳＬ信号を第１のｘＤＳＬ信号制御手段に送信することにより、監視カメラが撮像した画像データを有線で安定して送受信することができるため、信頼性の高い監視ができるという効果を奏する。また、既存のセンサの電源線を用いて新たに設置する監視カメラなどの装置に電源を供給でき、データの送受信ができるため、新たな設備の配線工事を行う必要がなく、工事期間を短縮でき、工事費用を削減できるという効果を奏する。
【００２４】
また、請求項３にかかる発明によれば、第１のｘＤＳＬ信号制御手段は、第１のデータ信号として監視領域を撮影する監視カメラを制御する監視カメラ制御信号をｘＤＳＬ信号に変換し、変換したｘＤＳＬ信号と直流電源信号とを合成してｘＤＳＬ信号として送信し、第２のｘＤＳＬ信号制御手段は、さらに受信したｘＤＳＬ信号を直流電源信号とｘＤＳＬ信号とに分配しｘＤＳＬ信号を監視カメラ制御信号に変換し、分配した直流電源信号をセンサと監視カメラに送信し、変換した監視カメラ制御信号を監視カメラに送信し、第２のデータ信号として監視カメラが撮像した画像データをｘＤＳＬ信号に変換して送信することにより、監視カメラが撮像した画像データを有線で安定して送受信することができるため、信頼性の高い監視ができるという効果を奏する。また、新たな配線工事を行うことなくセンサの電源線を利用して監視カメラを設置することができるため、監視カメラシステムを容易に導入することができるという効果を奏する。
【００２５】
また、請求項４にかかる発明によれば、第２のｘＤＳＬ信号制御手段は、さらに第２のデータ信号として監視カメラが集音した音声データをｘＤＳＬ信号に変換して送信することにより、監視カメラが集音した音声データを有線で安定して送受信することができるため、信頼性の高い監視ができるという効果を奏する。
【００２６】
また、請求項５にかかる発明によれば、第１のｘＤＳＬ信号制御手段によって、直流電源信号と第１のデータ信号とを合成してｘＤＳＬ信号として電源線を用いて送信し、第２のｘＤＳＬ信号制御手段によって、第１のｘＤＳＬ信号制御手段から送信されたｘＤＳＬ信号を受信し、受信したｘＤＳＬ信号を直流電源信号と第１のデータ信号とに分配し、第２のｘＤＳＬ信号制御手段は、さらに第２のデータ信号をｘＤＳＬ信号として電源線を用いて第１のｘＤＳＬ信号制御手段に送信し、第１のｘＤＳＬ信号制御手段は、さらに第２のｘＤＳＬ信号制御手段から送信されたｘＤＳＬ信号を受信することにより、監視カメラが撮像した画像データを有線で安定して送受信することができるため、信頼性の高い監視ができるという効果を奏する。また、既存の警備指示手段の電源線を用いて、新たに設置する監視カメラなどの装置に電源を供給でき、データの送受信ができるため、新たな設備の配線工事を行う必要がなく、工事期間を短縮でき、工事費用を削減できるという効果を奏する。
【００２７】
また、請求項６にかかる発明によれば、第１のｘＤＳＬ信号制御手段は、さらに第１のデータ信号をｘＤＳＬ信号に変換し、変換したｘＤＳＬ信号と直流電源信号と合成してｘＤＳＬ信号として送信し、第２のｘＤＳＬ信号制御手段は、さらに第１のｘＤＳＬ信号制御手段から送信されたｘＤＳＬ信号を受信し、受信したｘＤＳＬ信号を直流電源信号とｘＤＳＬ信号とに分配し、さらに当該ｘＤＳＬ信号を第１のデータ信号に変換し、第２のｘＤＳＬ信号制御手段は、さらに第２のデータ信号をｘＤＳＬ信号に変換し、変換したｘＤＳＬ信号を第１のｘＤＳＬ信号制御手段に送信することにより、監視カメラが撮像した画像データを有線で安定して送受信することができるため、信頼性の高い監視ができるという効果を奏する。また、既存の警備指示手段の電源線を用いて、新たに設置する監視カメラなどの装置に電源を供給でき、データの送受信ができるため、新たな設備の配線工事を行う必要がなく、工事期間を短縮でき、工事費用を削減できるという効果を奏する。
【００２８】
また、請求項７にかかる発明によれば、第１のｘＤＳＬ信号制御手段は、第１のデータ信号として監視領域を撮影する監視カメラを制御する監視カメラ制御信号をｘＤＳＬ信号に変換し、変換したｘＤＳＬ信号と直流電源信号とを合成してｘＤＳＬ信号として送信し、第２のｘＤＳＬ信号制御手段は、さらに受信したｘＤＳＬ信号を直流電源信号とｘＤＳＬ信号とに分配しｘＤＳＬ信号を監視カメラ制御信号に変換し、分配した直流電源信号を警備指示手段と監視カメラに送信し、変換した監視カメラ制御信号を監視カメラに送信し、第２のデータ信号として監視カメラが撮像した画像データをｘＤＳＬ信号に変換して送信することにより、監視カメラが撮像した画像データを有線で安定して送受信することができるため、信頼性の高い監視ができるという効果を奏する。また、新たな配線工事を行うことなく警備指示手段の電源線を利用して監視カメラを設置することができるため、新たな配線工事をする必要がなく、監視カメラシステムを容易に導入することができるという効果を奏する。
【００２９】
また、請求項８にかかる発明によれば、第２のｘＤＳＬ信号制御手段は、さらに第２のデータ信号として監視カメラが集音した音声データをｘＤＳＬ信号に変換して送信することにより、監視カメラが集音した音声データを有線で安定して送受信することができるため、信頼性の高い監視ができるという効果を奏する。
【００３０】
また、請求項９にかかる発明によれば、第１のｘＤＳＬ制御手段は、直流電源信号のみを通過させるローパスフィルタを有することにより、新たに設置した装置に直流電源を提供することができ、かつ、ノイズを除去することができるため、新たな装置に安定して電源を供給することができるという効果を奏する。
【００３１】
また、請求項１０にかかる発明によれば、第１のｘＤＳＬ信号制御手段によって、直流電源信号と第１のデータ信号とを合成してｘＤＳＬ信号として電源線を用いて送信し、第２のｘＤＳＬ信号制御手段によって、第１のｘＤＳＬ信号制御手段から送信されたｘＤＳＬ信号を受信し、受信したｘＤＳＬ信号を直流電源信号と第１のデータ信号に分配し、分配した直流電源信号と第１のデータ信号を送信し、第３のｘＤＳＬ信号制御手段によって、第２のｘＤＳＬ信号制御手段から送信された直流電源信号と第１のデータ信号とを受信し、受信した直流電源信号と第１のデータ信号とを合成してｘＤＳＬ信号として電源線を用いて送信し、第４のｘＤＳＬ信号制御手段によって、第３のｘＤＳＬ信号制御手段から送信されたｘＤＳＬ信号を受信し、受信したｘＤＳＬ信号を直流電源信号と第１のデータ信号に分配し、第４のｘＤＳＬ信号制御手段は、さらに第２のデータ信号をｘＤＳＬ信号として電源線を用いて送信し、第３のｘＤＳＬ信号制御手段は、さらに第４のｘＤＳＬ信号制御手段から送信されたｘＤＳＬ信号を第２のデータ信号として送信し、第２のｘＤＳＬ信号制御手段は、さらに第３のｘＤＳＬ信号制御手段から送信された第２のデータ信号をｘＤＳＬ信号として電源線を用いて送信し、第１のｘＤＳＬ信号制御手段は、さらに第２のｘＤＳＬ信号制御手段から送信されたｘＤＳＬ信号を受信することにより、監視カメラが撮像した画像データを有線で安定して送受信することができるため、信頼性の高い監視ができるという効果を奏する。また、既存の複数のセンサの電源線を用いて、新たに設置する監視カメラなどの装置に電源を供給でき、データの送受信ができるため、新たな設備の配線工事を行う必要がなく、工事期間を短縮でき、工事費用を削減できるという効果を奏する。さらに、複数のセンサの電源線がバス接続されていることにより、任意の位置に電源の供給ができるため、任意の位置に監視カメラなどの装置を接続することができるという効果を奏する。
【００３２】
また、請求項１１にかかる発明によれば、第１のｘＤＳＬ信号制御手段は、第１のデータ信号として監視領域を撮影する監視カメラを制御する監視カメラ制御信号と直流電源信号とを合成してｘＤＳＬ信号として送信し、第２のｘＤＳＬ信号制御手段は、さらに受信したｘＤＳＬ信号を直流電源信号と監視カメラ制御信号とに分配し、分配した直流電源信号をセンサと監視カメラに送信し、分配した監視カメラ制御信号を監視カメラに送信し、第３のｘＤＳＬ信号制御手段は、第１のデータ信号として監視カメラ制御信号と直流電源信号とを合成してｘＤＳＬ信号として送信し、第４のｘＤＳＬ信号制御手段は、第２のデータ信号として監視カメラが撮像した画像データをｘＤＳＬ信号として送信することにより、監視カメラが撮像した画像データを有線で安定して送受信することができるため、信頼性の高い監視ができるという効果を奏する。また、新たな配線工事を行うことなくセンサの電源線を利用して監視カメラを設置することができるため、監視カメラシステムを容易に導入することができるという効果を奏する。さらに、複数のセンサの電源線がバス接続されていることにより、任意の位置に電源の供給ができるため、任意の位置に監視カメラなどの装置を接続することができるという効果を奏する。
【００３３】
また、請求項１２にかかる発明によれば、第４のｘＤＳＬ信号制御手段は、さらに第２のデータ信号として監視カメラが集音した音声データをｘＤＳＬ信号として送信することにより、監視カメラが集音した音声データを有線で安定して送受信することができるため、信頼性の高い監視ができるという効果を奏する。
【００３４】
また、請求項１３にかかる発明によれば、監視領域における異常を検知するセンサを備え、センサと電源線で接続されている警備装置と、警備装置とネットワークに接続され、警備装置が送信した警報を受信して監視領域を監視する監視センタと、を備える監視システムにおいて、警備装置は、第１のｘＤＳＬ信号制御手段によって、直流電源信号と第１のデータ信号とを合成してｘＤＳＬ信号として電源線を用いて送信し、第２のｘＤＳＬ信号制御手段によって、第１のｘＤＳＬ信号制御手段から送信されたｘＤＳＬ信号を受信し、受信したｘＤＳＬ信号を直流電源信号と第１のデータ信号とに分配し、第２のｘＤＳＬ信号制御手段は、さらに第２のデータ信号をｘＤＳＬ信号として電源線を用いて第１のｘＤＳＬ信号制御手段に送信し、第１のｘＤＳＬ信号制御手段は、さらに第１のｘＤＳＬ信号制御手段から送信されたｘＤＳＬ信号を受信することにより、監視カメラが撮像した画像データを有線で安定して送受信することができるため、信頼性の高い監視ができるという効果を奏する。また、既存の複数のセンサの電源線を用いて、新たに設置する監視カメラなどの装置に電源を供給でき、データの送受信ができるため、新たな装置の配線工事を行う必要がなく、工事期間を短縮でき、工事費用を削減できるという効果を奏する。
【００３５】
また、請求項１４にかかる発明によれば、警備の開始または解除を指示する警備指示手段を備え、警備指示手段と電源線で接続されている警備装置と、警備装置とネットワークに接続され、警備装置が送信した警報を受信して監視領域を監視する監視センタと、を備える監視システムにおいて、警備装置は、第１のｘＤＳＬ信号制御手段によって、直流電源信号と第１のデータ信号とを合成してｘＤＳＬ信号として電源線を用いて送信し、第２のｘＤＳＬ信号制御手段によって、第１のｘＤＳＬ信号制御手段から送信されたｘＤＳＬ信号を受信し、受信したｘＤＳＬ信号を直流電源信号と第１のデータ信号とに分配し、第２のｘＤＳＬ信号制御手段は、さらに第２のデータ信号をｘＤＳＬ信号として電源線を用いて第１のｘＤＳＬ信号制御手段に送信し、第１のｘＤＳＬ信号制御手段は、さらに第１のｘＤＳＬ信号制御手段から送信されたｘＤＳＬ信号を受信することにより、監視カメラが撮像した画像データを有線で安定して送受信することができるため、信頼性の高い監視ができるという効果を奏する。また、既存の複数のセンサの電源線を用いて、新たに設置する監視カメラなどの装置に電源を供給でき、データの送受信ができるため、新たな装置の配線工事を行う必要がなく、工事期間を短縮でき、工事費用を削減できるという効果を奏する。
【００３６】
また、請求項１５にかかる発明によれば、監視領域における異常を検知する複数のセンサの電源線がバス接続されており、センサの１つと電源線で接続されている警備装置と、警備装置とネットワークに接続され、警備装置が送信した警報を受信して監視領域を監視する監視センタと、を備える監視システムにおいて、警備装置は、第１のｘＤＳＬ信号制御手段によって、直流電源信号と第１のデータ信号とを合成してｘＤＳＬ信号として電源線を用いて送信し、第２のｘＤＳＬ信号制御手段によって、第１のｘＤＳＬ信号制御手段から送信されたｘＤＳＬ信号を受信し、受信したｘＤＳＬ信号を直流電源信号と第１のデータ信号に分配し、分配した直流電源信号と第１のデータ信号を送信し、第３のｘＤＳＬ信号制御手段によって、第２のｘＤＳＬ信号制御手段から送信された直流電源信号と第１のデータ信号とを受信し、受信した直流電源信号と第１のデータ信号とを合成してｘＤＳＬ信号として電源線を用いて送信し、第４のｘＤＳＬ信号制御手段によって、第３のｘＤＳＬ信号制御手段から送信されたｘＤＳＬ信号を受信し、受信したｘＤＳＬ信号を直流電源信号と前記第１のデータ信号に分配し、第４のｘＤＳＬ信号制御手段は、さらに第２のデータ信号をｘＤＳＬ信号として電源線を用いて送信し、第３のｘＤＳＬ信号制御手段は、さらに第４のｘＤＳＬ信号制御手段から送信されたｘＤＳＬ信号を第２のデータ信号として送信し、第２のｘＤＳＬ信号制御手段は、さらに第３のｘＤＳＬ信号制御手段から送信された第２のデータ信号をｘＤＳＬ信号として電源線を用いて送信し、第１のｘＤＳＬ信号制御手段は、さらに第２のｘＤＳＬ信号制御手段から送信されたｘＤＳＬ信号を受信することにより、監視カメラが撮像した画像データを有線で安定して送受信することができるため、信頼性の高い監視ができるという効果を奏する。また、既存の複数のセンサの電源線を用いて、新たに設置する監視カメラなどの装置に電源を供給でき、データの送受信ができるため、新たな装置の配線工事を行う必要がなく、工事期間を短縮でき、工事費用を削減できるという効果を奏する。さらに、複数のセンサの電源線がバス接続されていることにより、任意の位置に電源の供給ができるため、任意の位置に監視カメラなどの装置を接続することができるという効果を奏する。
【発明を実施するための最良の形態】
【００３７】
以下に添付図面を参照して、この発明にかかる監視システムの最良な実施の形態を詳細に説明する。
【００３８】
（第１の実施の形態）
まず、第１の実施の形態について添付図面を参照して説明する。第１の実施の形態の監視システムは、警備装置において接続されたセンサの電源線に直流電源信号と監視カメラ制御信号を合成して送信するとともに、監視カメラの画像データを受信するものである。図１は、第１の実施の形態にかかる監視システムの構成を示すブロック図である。
【００３９】
本実施の形態にかかる監視システム１００は、警備装置１１０と、監視センタ１４０とから構成されており、警備装置１１０と監視センタ１４０とは電話回線、無線ネットワーク、インターネットなどのネットワーク１３０を介して接続されている。
【００４０】
警備装置１１０は、さらに検知情報制御部１１１と、ＡＤＳＬ信号合成分配部１１２と、画像情報制御部１１３と、画像情報記憶部１１４と、警報送信部１１５と、センサ１２０と、ＡＤＳＬ信号合成分配部１２１と、監視カメラ１２２とから構成されている。
【００４１】
また、警備装置１１０の検知情報制御部１１１は、センサ１２０と信号線１５１を介して接続されている。また、警備装置１１０の検知情報制御部１１１は、配線１５２を介してＡＤＳＬ信号合成分配部１１２と接続され、電源線１５４を介してＡＤＳＬ信号合成分配部１２１と、さらに配線１５５を介してセンサ１２０と接続されている。ＡＤＳＬ信号合成分配部１２１は、配線１５６、１５７を介して監視カメラ１２２と接続されている。
【００４２】
検知情報制御部１１１は、センサ１２０に対するセンサ制御信号を送信するとともに、センサ１２０から送信された検知データを受信するものである。また、直流電源信号を送信するものである。
【００４３】
ＡＤＳＬ信号合成分配部１１２は、画像情報制御部１１３から受信した監視カメラ制御信号（ＩＰ信号）を監視カメラ制御信号（ＡＤＳＬ信号）に変換後、監視カメラ制御信号（ＡＤＳＬ信号）と検知情報制御部１１１から受信した直流電源信号とを合成し、ＡＤＳＬ信号としてセンサ１２０側のＡＤＳＬ信号合成分配部１２１に送信するものである。
【００４４】
ここで、ＩＰ信号をＡＤＳＬ信号に変換するとは、１ビットずつ送信されているディジタル信号（ＩＰ信号）の複数ビットを複数の周波数に割り当てることにより、複数ビットを同時に送信できるディジタル信号（ＡＤＳＬ信号）に変換することである。これにより、送信回線を増やすことなく、大量のデータを送信することができる。
【００４５】
また、ＡＤＳＬ（Asymmetric Digital Subscriber Line）とは、電話局と加入者宅間に敷設された銅線の電話配線を使った最大５０Mbps程度の高速伝送技術をいう。本実施の形態では、この技術を利用して、既に設置されているセンサの電源線を用いて直流電源信号と監視カメラ制御信号を合成してＡＤＳＬ信号として伝送するとともに、監視カメラの画像データをＡＤＳＬ信号として伝送するものである。
【００４６】
また、ＡＤＳＬ信号合成分配部１１２は、センサ１２０側のＡＤＳＬ信号合成分配部１２１から送信された監視カメラの画像データ（ＡＤＳＬ信号）を画像データ（ＩＰ信号）に変換し、画像情報制御部１１３に送信するものである。なお、ＡＤＳＬ信号合成分配部１１２は、着脱可能な装置として構成してもよい。
【００４７】
ここで、ＡＤＳＬ信号をＩＰ信号に変換するとは、複数の周波数に割り当てたディジタル信号（ＡＤＳＬ信号）を１ビットずつのディジタル信号（ＩＰ信号）に変換することである。
【００４８】
なお、本実施の形態では、ＡＤＳＬ技術を用いて説明しているが、ＳＤＳＬ（Single line DSL）、ＨＤＳＬ（High bit rate DSL）、ＶＤＳＬ（Very high bit rate DSL）などのｘＤＳＬ技術を用いてもよい。
【００４９】
ＡＤＳＬ信号合成分配部１１２は、さらにスプリッタ１１２１とＡＤＳＬモデム１１２２とから構成されている。
【００５０】
スプリッタ１１２１は、ＡＤＳＬによるデータ通信を行う際に音声信号とデータ信号とを合成および分配する装置をいうが、本実施の形態では、直流電源信号とデータ信号（ＡＤＳＬ信号）を合成および分配するために、従来のスプリッタ機能を改造したものを利用している。
【００５１】
図２は、本実施の形態で利用するスプリッタの回路の一例を示す回路技術図である。スプリッタ１１２１は、ＬＩＮＥ端子２１、２２と、サージアブソーバ２３、２４、２７と、ハイパスフィルタ２５と、ローパスフィルタ３２と、ＭＯＤＥＭ端子２８、２９と、ＰＨＯＮＥ端子３３、３４とから構成されている。
【００５２】
ＬＩＮＥ端子２１、２２は、直流電源信号とデータ信号（ＡＤＳＬ信号）とが合成されたＡＤＳＬ信号が入出力される端子であり、サージアブソーバ２３、２４、２７は、電気回路や電気系統に通常の電圧を超えて、瞬間的あるいは、断続的に発生する過電圧（サージ）から電気回路を保護するための素子である。ハイパスフィルタ２５は、データ信号（ＡＤＳＬ信号）のみを通過させるものである。ＭＯＤＥＭ端子２８、２９は、データ信号（ＡＤＳＬ信号）が入出力する端子であり、ＰＨＯＮＥ端子３３、３４は、直流電源信号が入出力する端子である。
【００５３】
ローパスフィルタ３２は、直流電源信号のみを通過させるものである。ここで、チョークコイル３０、３１は、大容量の直流電源信号（０Ｈｚ）が流れるように従来のスプリッタよりも電流容量が大きく直流抵抗の低いコイルを用いている。また、従来のスプリッタにおいては通過する音声データ（４ＫＨｚ以下）はそのまま通過させるとノイズとなり他の機器に悪影響を与えるため、直流電源信号以外の周波数が極力流れないように、図２の２３中の抵抗、コイル、コンデンサ等を設計している。
【００５４】
ＡＤＳＬモデム１１２２は、ＡＤＳＬ信号をＩＰ信号に変換し、ＩＰ信号をＡＤＳＬ信号に変換している。ここで、ＩＰ信号とは、ＩＰ（Internet Protocol）のプロトコルの信号であるが、特にＩＰ信号に限定されるわけではなく、他のプロトコルを用いてもよい。
【００５５】
画像情報制御部１１３は、監視カメラ１２２を制御するための監視カメラ制御信号（ＩＰ信号）を送信し、監視カメラ１２２の画像データ（ＩＰ信号）を受信するものである。画像情報記憶部１１４は、画像情報制御部１１３が受信した監視カメラ１２２の画像データを記憶するものである。なお、画像情報記憶部１１４が記憶した画像データは、図示していない画像情報送信部からネットワーク１３０を介して監視センタ１４０に送信し監視センタ１４０においてモニタ等に表示してもよい。
【００５６】
警報送信部１１５は、検知情報制御部１１１がセンサから受信した検知データが一定の閾値を超えた場合に監視センタに対し警報を送信するものである。
【００５７】
センサ１２０は、人感センサであり、例えば、熱の移動で人を検出する赤外線センサ、赤外線などが遮られることで人を検出する遮断センサ、電磁波の乱れで人を検出する気配センサ、およびマグネットにより扉の開閉を検出するマグネットセンサなどの警備領域の異常を検出する各種センサである。
【００５８】
ＡＤＳＬ信号合成分配部１２１は、警備装置１１０側のＡＤＳＬ信号合成分配部１１２から受信した監視カメラ制御信号と直流電源信号との合成信号であるＡＤＳＬ信号を受信し、監視カメラ制御信号と直流電源信号とに分配するとともに、直流電源信号をセンサ１２０と監視カメラ１２２とに送信し、監視カメラ制御信号（ＡＤＳＬ信号）を監視カメラ制御信号（ＩＰ信号）に変換して、監視カメラ１２２に送信するものである。ＡＤＳＬ信号合成分配部１２１は、上述のＡＤＳＬ信号合成分配部１１２と同様の構成を有するものである。なお、ＡＤＳＬ信号合成分配部１２１も、上述のＡＤＳＬ信号合成分配部１１２と同様に着脱可能な装置として構成してもよい。
【００５９】
なお、ＡＤＳＬ信号合成分配部１２１は、さらにスプリッタ１２１１とＡＤＳＬモデム１２１２とから構成される。スプリッタ１２１１は上述のスプリッタ１１２１と、ＡＤＳＬモデム１２１２は上述のＡＤＳＬモデム１１２２と同様の機能、構成を有するものであるため、上述の説明を参照しここでの説明を省略する。
【００６０】
監視カメラ１２２は、監視領域の画像を撮影し、撮影した画像データを送信するものである。また、監視カメラ制御信号を受信することにより、監視カメラ１２２は動作が制御される。
【００６１】
信号線１５１と電源線１５４は、具体的には２対より対線からなる１本のケーブルで構成され、より対線の同一被覆内の２対の線のうち、1対の配線すなわち電源線１５４に直流電源信号とデータ信号とを合成したＡＤＳＬ信号および監視カメラの画像データ（ＡＤＳＬ信号）が伝送され、他の１対の配線すなわち信号線１５１にセンサ制御信号、センサ信号が伝送される。なお、信号線１５１と電源線１５４は、４本の平行線からなる１本のケーブルで構成してもよい。
【００６２】
配線１５２は、検知情報制御部１１１からＡＤＳＬ信号合成分配部１１２へ直流電源信号を伝送し、配線１５３は、画像情報制御部１１３からＡＤＳＬ信号合成分配部１１２へ監視カメラ制御信号（ＩＰ信号）を伝送し、ＡＤＳＬ信号合成分配部１１２から画像情報制御部１１３へ監視カメラの画像データ（ＩＰ信号）を伝送する。
【００６３】
配線１５５は、ＡＤＳＬ信号合成分配部１２１からセンサ１２０へ直流電源信号を伝送する。配線１５６は、ＡＤＳＬ信号合成分配部１２１から監視カメラ１２２へ監視カメラ制御信号（ＩＰ信号）を伝送し、監視カメラ１２２からＡＤＳＬ信号合成分配部１２１へ画像データ（ＩＰ信号）を伝送する。配線１５７は、ＡＤＳＬ信号合成分配部１２１から監視カメラ１２２へ直流電源信号を伝送する。
【００６４】
次に、以上のように構成された本実施の形態にかかる直流電源信号およびデータ信号の送信処理について説明する。図３−１、図３−２は、第１の実施の形態にかかる直流電源信号およびデータ信号の送受信処理の手順を示すフローチャートである。
【００６５】
まず、警備装置１１０の検知情報制御部１１１は、直流電源信号をＡＤＳＬ信号合成分配部１１２に送信する（ステップＳ３００１）。画像情報制御部１１３は、監視カメラ制御信号（ＩＰ信号）をＡＤＳＬ信号合成分配部１１２に送信する（ステップＳ３００２）。
【００６６】
ＡＤＳＬ信号合成分配部１１２のＡＤＳＬモデム１１２２は、画像情報制御部１１３から送信された監視カメラ制御信号（ＩＰ信号）を監視カメラ制御信号（ＡＤＳＬ信号）に変換し（ステップＳ３００３）、ＡＤＳＬ信号合成分配部１１２のスプリッタ１１２１は、監視カメラ制御信号（ＡＤＳＬ信号）と検知情報制御部１１１から送信された直流電源信号とを合成する（ステップＳ３００４）。
【００６７】
ＡＤＳＬ信号合成分配部１１２は、合成されたＡＤＳＬ信号をセンサ１２０側のＡＤＳＬ信号合成分配部１２１に送信する（ステップＳ３００５）。ＡＤＳＬ信号合成分配部１２１は、ＡＤＳＬ信号合成分配部１１２から送信されたＡＤＳＬ信号を受信する（ステップＳ３００６）。
【００６８】
ＡＤＳＬ信号合成分配部１２１のスプリッタ１２１１は、送信されたＡＤＳＬ信号を直流電源信号と監視カメラ制御信号（ＡＤＳＬ信号）に分配し（ステップＳ３００７）、ＡＤＳＬ信号合成分配部１２１のＡＤＳＬモデム１２１２は、監視カメラ制御信号（ＡＤＳＬ信号）を監視カメラ制御信号（ＩＰ信号）に変換する（ステップＳ３００８）。
【００６９】
ＡＤＳＬ信号合成分配部１２１は、分配した直流電源信号をセンサ１２０と監視カメラ１２２に送信する（ステップＳ３００９）。ＡＤＳＬ信号合成分配部１２１は、監視カメラ１２２に監視カメラ制御信号（ＩＰ信号）を送信する（ステップＳ３０１０）。
【００７０】
監視カメラ１２２は、監視カメラ制御信号（ＩＰ信号）を受信する（ステップＳ３０１１）。監視カメラ１２２は、撮影した画像データ（ＩＰ信号）を送信する（ステップＳ３０１２）。
【００７１】
ＡＤＳＬ信号合成分配部１２１は、画像データ（ＩＰ信号）をＡＤＳＬ信号に変換し、警備装置１１０側のＡＤＳＬ信号合成分配部１１２に送信する（ステップＳ３０１３）。
【００７２】
ＡＤＳＬ信号合成分配部１１２は、画像データ（ＡＤＳＬ信号）を受信する（ステップＳ３０１４）。ＡＤＳＬ信号合成分配部１１２のＡＤＳＬモデム１１２２は、画像データ（ＡＤＳＬ信号）を画像データ（ＩＰ信号）に変換して画像情報制御部１１３に送信する（ステップＳ３０１５）。画像情報制御部１１３は、画像データ（ＩＰ信号）を画像情報記憶部１１４に記憶させる（ステップＳ３０１６）。
【００７３】
次に、センサ１２０と警備装置１１０の検知情報制御部１１１とのデータ信号の送受信処理について説明する。図４は、第１の実施の形態にかかるデータ信号の送受信の処理の手順を示すフローチャートである。
【００７４】
警備装置１１０の検知情報制御部１１１からセンサ１２０にセンサ制御信号を送信する（ステップＳ４００１）。センサ１２０は、検知情報制御部１１１から送信されたセンサ制御信号を受信する（ステップＳ４００２）。
【００７５】
センサ１２０は、センサ制御信号に従い、センサ信号を検知情報制御部１１１に送信する（ステップＳ４００３）。検知情報制御部１１１は、センサ１２０が送信したセンサ信号を受信する（ステップＳ４００４）。
【００７６】
なお、センサ１２０は、検知情報制御部１１１からのセンサ制御信号を受信しない場合においてもセンサが赤外線等により人を感知した場合には、自発的にセンサ信号を送信することがあり、その場合にはステップＳ４００３〜ステップＳ４００４の処理が実施される。
【００７７】
このように、本実施の形態では、既に設置されているセンサの電源線を利用して、監視カメラの直流電源信号、制御信号、画像データを送受信することができるため、監視カメラが撮像した画像データを有線で安定して送受信することができ、信頼性の高い監視を行うことができる。また、監視カメラ用の同軸ケーブルを壁の中に配線するという大規模な工事をする必要がなく、工事期間、工事費用の削減をすることができる。
【００７８】
本実施の形態の効果を、図面を用いてさらに詳説する。図１２は、センサが接続されている警備装置を含む監視システムの一例を示す説明図である。監視システム１０００は、警備装置１０１０と、監視センタ１４０とから構成されており、警備装置１０１０と監視センタ１４０とは電話回線、無線ネットワーク、インターネットなどのネットワーク１３０を介して接続されている。警備装置１０１０は、検知情報制御部１０１１と警報送信部１１５とセンサ１２０とから構成されている。
【００７９】
検知情報制御部１０１１は、センサ１２０と信号線１５１および電源線１５４を介して接続されている。
【００８０】
従来、図１２のように警備装置が構成されている場合、さらに監視カメラを設置しようとする場合は、別途監視カメラ用ケーブルの設置工事が必要となる。図１３は、センサと監視カメラが接続された警備装置を含む監視システムの一例を示す説明図である。
【００８１】
監視システム１１００は、警備装置１１１０と、監視センタ１４０とから構成されており、警備装置１１１０と監視センタ１４０とは無線ネットワーク、インターネットなどのネットワーク１３０を介して接続されている。警備装置１１１０は、検知情報制御部１０１１と警報送信部１１５と画像情報制御部１１１１とセンサ１２０と監視カメラ１２２とから構成されている。
【００８２】
検知情報制御部１０１１は、センサ１２０と信号線１５１および電源線１５４を介して接続されており、画像情報制御部１１１１は、センサ１２０と接続している信号線１５１および電源線１５４とは別の信号線１１５１および電源線１１５２で監視カメラ１２２と接続されている。よって、従来の方法で、監視カメラを設置する際には監視カメラ１２２用の信号線１１５１および電源線１１５２としての同軸ケーブルを設置する工事が必要となる。
【００８３】
一方、本実施の形態において、図１２のようなセンサのみが警備装置に接続されている状態から、監視カメラをさらに設置する場合には、図１に示すように、ＡＤＳＬ信号合成分配部１１２、１２１を設置することによって、センサ１２０の電源線１５４を用いて監視カメラ１２２の電源および監視カメラ制御信号、監視カメラからの画像データを送受信することができるため、図１３に示すような信号線１１５１および電源線１１５２を配線する工事をする必要がなく、監視カメラ１２２による監視が可能となる。
【００８４】
よって、大規模な配線工事は必要なく、例えば２４時間営業のコンビニエンスストア等にも、営業を継続しながら監視カメラシステムの導入が可能となる。また、既に導入されているセンサシステムにおいて、誤動作が生じる場合に配線工事をすることなく、監視カメラを設置することができるため、監視カメラによる誤動作の確認が容易にできるとともに、誤動作確認後の監視カメラの撤去も容易にできる。
【００８５】
（第２の実施の形態）
第２の実施の形態について添付図面を参照して説明する。第２の実施の形態の監視システムは、警備装置において接続されたセンサの電源線に直流電源信号と監視カメラ制御信号を合成して送信し、監視カメラの音声データを受信するものである。図５は、第２の実施の形態にかかる監視システムの構成を示すブロック図である。
【００８６】
本実施の形態にかかる監視システム２００は、警備装置２１０と、監視センタ１４０とから構成されており、警備装置２１０と監視センタ１４０とは電話回線、無線ネットワーク、インターネットなどのネットワーク１３０を介して接続されている。
【００８７】
警備装置２１０は、さらに検知情報制御部１１１と、ＡＤＳＬ信号合成分配部１１２と、音声情報制御部２１３と、音声情報記憶部２１４と、警報送信部１１５と、センサ１２０と、ＡＤＳＬ信号合成分配部１２１と、監視カメラ２２２とから構成されている。
【００８８】
また、警備装置２１０の検知情報制御部１１１は、センサ１２０と信号線１５１を介して接続されている。また、警備装置２１０の検知情報制御部１１１は、配線１５２を介してＡＤＳＬ信号合成分配部１１２と接続され、ＡＤＳＬ信号合成分配部１１２は電源線１５４を介してセンサ１２０側のＡＤＳＬ信号合成分配部１２１と接続され、さらにＡＤＳＬ信号合成分配部１２１は電源線１５５を介してセンサ１２０と接続されている。
【００８９】
また、ＡＤＳＬ信号合成分配部１２１は、配線１５６、１５７を介して監視カメラ１２２と接続されている。
【００９０】
ここで、検知情報制御部１１１と、ＡＤＳＬ信号合成分配部１１２と、警報送信部１１５と、センサ１２０と、ＡＤＳＬ信号合成分配部１２１と、信号線１５１、電源線１５４、配線１５２、１５３、１５５〜１５７の機能、構成は、第１の実施の形態と同様であるので、説明を省略する。
【００９１】
監視カメラ２２２は、上述の監視カメラ１２２の構成、機能に加え、マイクロフォン機能を有し、監視カメラの近辺の音声を集音するものである。なお、音声データのみを送信する場合には、監視カメラ２２２に換えて、マイクロフォンを設置し音声データを送信してもよい。
【００９２】
音声情報制御部２１３は、監視カメラ２２２を制御するための監視カメラ制御信号（ＩＰ信号）を送信し、監視カメラ２２２の音声データ（ＩＰ信号）を受信するものである。音声情報記憶部２１４は、音声情報制御部２１３が受信した監視カメラ２２２の音声データを記憶するものである。なお、音声情報記憶部２１４が記憶した音声データは、図示していない音声情報送信部からネットワーク１３０を介して監視センタ１４０に送信し監視センタ１４０においてスピーカから出力してもよい。
【００９３】
また、ＡＤＳＬ技術を用いることにより、既存の電源線を用いた双方向のデータ送信が可能となるため、センサ側にスピーカを設置し監視センタ１４０のマイクロフォンから集音した音声データをセンサ側に送信してもよい。
【００９４】
次に、以上のように構成された本実施の形態にかかる直流電源信号およびデータ信号の送信処理について説明する。図６−１、図６−２は、第２の実施の形態にかかる直流電源信号およびデータ信号の送受信処理の手順を示すフローチャートである。
【００９５】
本実施の形態にかかる直流電源信号およびデータ信号の送信処理の手順は、図３−１、図３−２に示す直流電源信号およびデータ信号の送受信処理の手順とほぼ同様であるので、異なる部分のみ説明する。ステップＳ３１０１〜ステップＳ３１１１は、図３−１、図３−２での説明を参照し、ここでの説明を省略する。
【００９６】
監視カメラ２２２は、集音した音声データ（ＩＰ信号）を送信する（ステップＳ３１１２）。ＡＤＳＬ信号合成分配部１２１は、音声データ（ＩＰ信号）をＡＤＳＬ信号に変換し、警備装置２１０側のＡＤＳＬ信号合成分配部１１２に送信する（ステップＳ３１１３）。
【００９７】
ＡＤＳＬ信号合成分配部１１２は、音声データ（ＡＤＳＬ信号）を受信する（ステップＳ３１１４）。ＡＤＳＬ信号合成分配部１１２のＡＤＳＬモデム１１２２は、音声データ（ＡＤＳＬ信号）を音声データ（ＩＰ信号）に変換して、音声情報制御部２１３に送信する（ステップＳ３１１５）。音声情報制御部２１３は、音声データ（ＩＰ信号）を音声情報記憶部２１４に記憶させる（ステップＳ３１１６）。
【００９８】
なお、警備装置２１０とセンサ１２０とのデータ信号の送受信処理手順は、第１の実施の形態における図４における手順と同様であるのでここでの説明を省略する。
【００９９】
このように、本実施の形態では、既に設置されているセンサの電源線を利用して、監視カメラの直流電源信号、制御信号、音声データを送受信することができるため、監視カメラまたはマイクロフォンなどが集音した音声データを有線で安定して送受信することができ、信頼性の高い監視を行うことができる。また、監視カメラ用の同軸ケーブルを壁の中に配線するという大規模な工事をする必要がなく、工事期間、工事費用の削減をすることができる。
【０１００】
また、本実施の形態の構成に加え、第１の実施の形態の構成を備えることにより、監視カメラの画像データと音声データを送受信することができる。
【０１０１】
（第３の実施の形態）
第３の実施の形態について添付図面を参照して説明する。第３の実施の形態の監視システムは、警備装置において接続されたキーボックスの電源線に直流電源信号と監視カメラ制御信号を合成して送信し、監視カメラの画像データを受信するものである。図７は、第３の実施の形態にかかる監視システムの構成を示すブロック図である。
【０１０２】
本実施の形態にかかる監視システム５００は、警備装置５１０と、監視センタ１４０とから構成されており、警備装置５１０と監視センタ１４０とは電話回線、無線ネットワーク、インターネットなどのネットワーク１３０を介して接続されている。
【０１０３】
警備装置５１０は、さらにキーボックス制御部５１１と、ＡＤＳＬ信号合成分配部１１２と、画像情報制御部１１３と、画像情報記憶部１１４と、警報送信部１１５と、キーボックス５２０と、ＡＤＳＬ信号合成分配部１２１と、監視カメラ１２２とから構成されている。
【０１０４】
また、警備装置５１０のキーボックス制御部５１１は、キーボックス５２０と信号線１５１を介して接続されている。また、警備装置５１０のキーボックス制御部５１１は、配線１５２を介してＡＤＳＬ信号合成分配部１１２と接続され、ＡＤＳＬ信号合成分配部１１２は電源線１５４を介してキーボックス５２０側のＡＤＳＬ信号合成分配部１２１と接続され、さらにＡＤＳＬ信号合成分配部１２１は電源線１５５を介してキーボックス５２０と接続されている。
【０１０５】
また、ＡＤＳＬ信号合成分配部１２１は、配線１５６、１５７を介して監視カメラ１２２と接続されている。
【０１０６】
ここで、ＡＤＳＬ信号合成分配部１１２と、画像情報制御部１１３と、画像情報記憶部１１４と、警報送信部１１５と、ＡＤＳＬ信号合成分配部１２１と、監視カメラ１２２、信号線１５１、電源線１５４、配線１５２、１５３、１５５〜１５７の機能、構成は、第1の実施の形態と同様であるので、説明を省略する。
【０１０７】
キーボックス制御部５１１は、キーボックス５２０に対してキーボックス制御信号を送信するとともに、キーボックス５２０から送信されたキーボックスデータを受信するものである。また、直流電源信号を送信するものである。
【０１０８】
キーボックス５２０は、警備領域の警備の開始または解除を指示するものである。警備の開始を指示することにより対象となる警備領域は警備状態が設定される。また、警備の解除を指示することにより対象となる警備領域は警備解除状態が設定される。具体的に、警備領域の警備の開始または解除を指示は、警備開始ボタンまたは警備解除ボタンの押下、警備指示用のＩＣカードの挿入または取出、鍵の開錠または施錠などにより行われる。キーボックス５２０は、本発明における警備指示手段を構成する。
【０１０９】
ここで、警備状態とは、警備装置がセンサによる異常を検知した場合に発せられる検知信号を受信した場合に、異常を知らせる警報をネットワークで接続されている監視センタに送信する状態をいい、警備解除状態とは、警備装置が上述の検知信号を受信した場合でも異常を知らせる警報を監視センタの送信しない状態をいう。
【０１１０】
次に、以上のように構成された本実施の形態にかかる直流電源信号およびデータ信号の送信処理について説明する。図８−１、図８−２は、第２の実施の形態にかかる直流電源信号およびデータ信号の送受信処理の手順を示すフローチャートである。
【０１１１】
本実施の形態にかかる直流電源信号およびデータ信号の送信処理の手順は、図３−１、図３−２に示す直流電源信号およびデータ信号の送受信処理の手順とほぼ同様であるので、異なる部分のみ説明する。ステップＳ６００５〜ステップＳ６０１６は、図３−１、図３−２での説明を参照し、ここでの説明を省略する。
【０１１２】
まず、警備装置５１０のキーボックス制御部５１１は、直流電源信号をＡＤＳＬ信号合成分配部１１２に送信する（ステップＳ６００１）。画像情報制御部１１３は、監視カメラ制御信号（ＩＰ信号）をＡＤＳＬ信号合成分配部１１２に送信する（ステップＳ６００２）。
【０１１３】
ＡＤＳＬ信号合成分配部１１２のＡＤＳＬモデム１１２２は、画像情報制御部１１３から送信された監視カメラ制御信号（ＩＰ信号）を監視カメラ制御信号（ＡＤＳＬ信号）に変換し（ステップＳ６００３）、ＡＤＳＬ信号合成分配部１１２のスプリッタ１１２１は、監視カメラ制御信号（ＡＤＳＬ信号）とキーボックス制御部５１１から送信された直流電源信号と合成する（ステップＳ６００４）。
【０１１４】
次に、本実施の形態にかかるキーボックス５２０と警備装置５１０のキーボックス制御部５１１とのデータ信号の送受信処理について説明する。図９は、第３の実施の形態にかかるデータ信号の送受信の処理の手順を示すフローチャートである。
【０１１５】
警備装置５１０のキーボックス制御部５１１からキーボックス５２０にキーボックス制御信号を送信する（ステップＳ７００１）。キーボックス５２０は、キーボックス制御部５１１から送信されたキーボックス制御信号を受信する（ステップＳ７００２）。
【０１１６】
キーボックス５２０は、キーボックス制御信号による問い合わせに従い、キーボックス信号をキーボックス制御部５１１に送信する（ステップＳ７００３）。キーボックス制御部５１１は、キーボックス５２０が送信したキーボックス信号を受信する（ステップＳ７００４）。
【０１１７】
なお、キーボックス５２０は、キーボックス制御部５１１からのキーボックス制御信号を受信しない場合においても人がキーボックスを操作した場合には、自発的にキーボックス信号を送信することがあり、その場合にはステップＳ７００３〜ステップＳ７００４の処理が実施される。
【０１１８】
このように、本実施の形態では、既に設置されているキーボックスの電源線を利用して、監視カメラの直流電源信号、制御信号、画像データを送受信することができるため、監視カメラが撮像した画像データを有線で安定して送受信することができ、信頼性の高い監視を行うことができる。また、監視カメラ用の同軸ケーブルを壁の中に配線するという大規模な工事をする必要がなく、工事期間、工事費用の削減をすることができる。
【０１１９】
特に、近年、建物の屋外にカメラを設置して監視するという監視システムの需要が増加している。この場合、屋外から警備装置が設置された場所まで配線を行う必要があるが、警備装置は屋内に設置する場合が多いため、配線のための大規模な工事が必要である。ところで、キーボックスは通常、最終退出口付近の屋内または屋外に設置される場合が多い。そこで、屋外にカメラを設置する場合に、キーボックスの電源線を利用するのは非常に有効である。
【０１２０】
また、既にキーボックスシステムが導入されている場合に、警備の開始または解除指示を行う人を画像で確認したい場合に、配線工事を行うことなく監視カメラシステムを容易に導入することができる。
【０１２１】
さらに、第２の実施の形態と同様の機能、構成をとることにより、音声データの送受信を行うことができる。
【０１２２】
（第４の実施の形態）
第４の実施の形態について添付図面を参照して説明する。第４の実施の形態の監視システムは、警備装置にバス接続された複数のセンサの電源線に直流電源信号と監視カメラ制御信号を合成して送信し、監視カメラの画像データを受信するものである。図１０は、第４の実施の形態にかかる監視システムの構成を示すブロック図である。
【０１２３】
本実施の形態にかかる監視システム８００は、警備装置８１０と、監視センタ１４０とから構成されており、警備装置８１０と監視センタ１４０とは電話回線、無線ネットワーク、インターネットなどのネットワーク１３０を介して接続されている。
【０１２４】
警備装置８１０は、さらに検知情報制御部１１１と、ＡＤＳＬ信号合成分配部１１２と、画像情報制御部１１３と、画像情報記憶部１１４と、警報送信部１１５と、センサ８２０と、ＡＤＳＬ信号合成分配部８２１と、ハブ（hub）８２２と、監視カメラ８２３と、ＡＤＳＬ信号合成分配部８２４と、センサ８３０と、ＡＤＳＬ信号合成分配部８３１と、監視カメラ８３２とから構成されている。
【０１２５】
警備装置８１０の検知情報制御部１１１は、センサ８２０と信号線１５１を介して接続されている。また、センサ８２０は、信号線８５７を介してセンサ８３０と接続されている。
【０１２６】
警備装置８１０の検知情報制御部１１１は、配線１５２を介してＡＤＳＬ信号合成分配部１１２と接続され、ＡＤＳＬ信号合成分配部１１２は電源線１５４を介してＡＤＳＬ信号合成分配部８２１と接続されている。ＡＤＳＬ信号合成分配部８２１は配線８５１と配線８５２を介してハブ８２２と接続されている。
【０１２７】
ハブ８２２は、配線８５５と配線８５６とを介して監視カメラ８２３と接続し、監視カメラ８２３は、配線８５８を介してセンサ８２０と接続している。また、ハブ８２２は、配線８５３と配線８５４とを介してＡＤＳＬ信号合成分配部８２４と接続し、ＡＤＳＬ信号合成分配部８２４は電源線８５９と介してセンサ８３０側のＡＤＳＬ信号合成分配部８３１と接続している。
【０１２８】
ＡＤＳＬ信号合成分配部８３１は、配線８６０を介してセンサ８３０に接続し、配線８６１および配線８６２を介して監視カメラ８３２に接続している。
【０１２９】
ここで、検知情報制御部１１１と、ＡＤＳＬ信号合成分配部１１２と、画像情報制御部１１３と、画像情報記憶部１１４と、警報送信部１１５と、センサ１２０、信号線１５１、電源線１５４、配線１５２、１５３の機能、構成は、第1の実施の形態と同様であるので、説明を省略する。
【０１３０】
ＡＤＳＬ信号合成分配部８２１と、ＡＤＳＬ信号合成分配部８２４と、ＡＤＳＬ信号合成分配部８３１は、第１の実施の形態にかかるＡＤＳＬ信号合成分配部１１２の機能、構成と同様であるので説明を省略する。また、スプリッタ８２１１と、スプリッタ８２４１と、スプリッタ８３１１は、第１の実施の形態にかかるスプリッタ１１２１の機能、構成と同様であるので説明を省略する。
【０１３１】
ＡＤＳＬモデム８２１２と、ＡＤＳＬモデム８２４２と、ＡＤＳＬモデム８３１２は、第１の実施の形態にかかるＡＤＳＬモデム１１２２の機能、構成と同様であるので説明を省略する。監視カメラ８２３と、監視カメラ８３２は、第１の実施の形態にかかる監視カメラ１２２の機能、構成と同様であるので説明を省略する。なお、監視カメラはハブから複数台接続することも可能であり、また、監視カメラを全く接続することなく電源線の延長のみを行うことも可能である。センサ８２０、８３０は、第１の実施の形態にかかるセンサ１２０の機能、構成と同様であるので説明を省略する。
【０１３２】
ハブ８２２は、集線装置であり、ＡＤＳＬ信号合成分配部８２１とＡＤＳＬ信号合成分配部８２４との間のＩＰプロトコルで通信する監視カメラ８２３やセンサ８２０を接続するものである。
【０１３３】
信号線８５７と電源線８５９は、上述の信号線１５１と電源線１５４の機能、構成と同様であるので説明を省略する。
【０１３４】
配線８５１は、ＡＤＳＬ信号合成分配部８２１からハブ８５１の双方へデータ信号（ＩＰ信号）を伝送し、配線８５２は、ＡＤＳＬ信号合成分配部８２１からハブ８５１へ直流電源信号を伝送する。配線８５５は、ハブ８５１から監視カメラ８２３の双方へデータ信号（ＩＰ信号）を伝送し、配線８５６は、ハブ８５１から監視カメラ８２３へ直流電源信号を伝送する。
【０１３５】
配線８５８は、監視カメラ８２３からセンサ８２０へ直流電源信号を伝送する。なお、配線８５８は、ハブ８２２から直接センサ８２０に接続し、直流電源信号を伝送してもよい。配線８５３は、ハブ８５１からＡＤＳＬ信号合成分配部８２４の双方へデータ信号（ＩＰ信号）を伝送し、配線８５４は、ハブ８５１からＡＤＳＬ信号合成分配部８２４へ直流電源信号を伝送する。
【０１３６】
配線８６０は、ＡＤＳＬ信号合成分配部８３１からセンサ８３０へ直流電源信号を伝送する。配線８６１は、ＡＤＳＬ信号合成分配部８３１と監視カメラ８３２の双方へデータ信号（ＩＰ信号）を伝送し、配線８６２は、ＡＤＳＬ信号合成分配部８３１から監視カメラ８３２へ直流電源信号を伝送する。
【０１３７】
次に、以上のように構成された本実施の形態にかかる直流電源信号およびデータ信号の送信処理について説明する。図１１−１〜図１１−４は、第４の実施の形態にかかる直流電源信号およびデータ信号の送受信処理の手順を示すフローチャートである。
【０１３８】
まず、警備装置８１０の検知情報制御部１１１は、直流電源信号をＡＤＳＬ信号合成分配部１１２に送信する（ステップＳ９００１）。画像情報制御部１１３は、監視カメラ制御信号（ＩＰ信号）をＡＤＳＬ信号合成分配部１１２に送信する（ステップＳ９００２）。
【０１３９】
ＡＤＳＬ信号合成分配部１１２のＡＤＳＬモデム１１２２は、画像情報制御部１１３から送信された監視カメラ制御信号（ＩＰ信号）を監視カメラ制御信号（ＡＤＳＬ信号）に変換し（ステップＳ９００３）、ＡＤＳＬ信号合成分配部１１２のスプリッタ１１２１は、検知情報制御部１１１から送信された直流電源信号と合成する（ステップＳ９００４）。
【０１４０】
ＡＤＳＬ信号合成分配部１１２は、合成されたＡＤＳＬ信号をセンサ８２０側のＡＤＳＬ信号合成分配部８２１に送信する（ステップＳ９００５）。ＡＤＳＬ信号合成分配部８２１は、ＡＤＳＬ信号合成分配部１１２から送信されたＡＤＳＬ信号を受信する（ステップＳ９００６）。
【０１４１】
ＡＤＳＬ信号合成分配部８２１のスプリッタ８２１１は、送信されたＡＤＳＬ信号を直流電源信号と監視カメラ制御信号（ＡＤＳＬ信号）に分配し（ステップＳ９００７）、ＡＤＳＬ信号合成分配部８２１のＡＤＳＬモデム８２１２は、監視カメラ制御信号（ＡＤＳＬ信号）を監視カメラ制御信号（ＩＰ信号）に変換する（ステップＳ９００８）。
【０１４２】
ＡＤＳＬ信号合成分配部８２１は、分配した直流電源信号と監視カメラ制御信号（ＩＰ信号）をそれぞれハブ８２２に送信する（ステップＳ９００９）。ハブ８２２は、直流電源信号を監視カメラ８２３と、監視カメラ８２３を介してセンサ８２０に送信する（ステップＳ９０１０）。
【０１４３】
ハブ８２２は、監視カメラ制御信号（ＩＰ信号）を監視カメラ８２３に送信する（ステップＳ９０１１）。ハブ８２２は、直流電源信号と監視カメラ制御信号（ＩＰ信号）をＡＤＳＬ信号合成分配部８２４に送信する（ステップＳ９０１２）。
【０１４４】
ＡＤＳＬ信号合成分配部８２４のＡＤＳＬモデム８２４２は、監視カメラ制御信号（ＩＰ信号）を監視カメラ制御信号（ＡＤＳＬ信号）に変換し（ステップＳ９０１３）、ＡＤＳＬ信号合成分配部８２４のスプリッタ８２４１は、直流電源信号と監視カメラ制御信号をＡＤＳＬ信号として合成する（ステップＳ９０１４）。ＡＤＳＬ信号合成分配部８２４は、合成されたＡＤＳＬ信号をセンサ８３０側のＡＤＳＬ信号合成分配部８３１に電源線８５９を介して送信する（ステップＳ９０１５）。
【０１４５】
ＡＤＳＬ信号合成分配部８３１は、センサ８２０側のＡＤＳＬ信号合成分配部８２４から送信されたＡＤＳＬ信号を受信する（ステップＳ９０１６）。ＡＤＳＬ信号合成分配部８３１のスプリッタ８３１１は、合成されたＡＤＳＬ信号を直流電源信号と監視カメラ制御信号（ＡＤＳＬ信号）に分配し（ステップＳ９０１７）、ＡＤＳＬ信号合成分配部８３１のＡＤＳＬモデム８３１２は、監視カメラ制御信号（ＡＤＳＬ信号）を監視カメラ制御信号（ＩＰ信号）に変換する（ステップＳ９０１８）。
【０１４６】
ＡＤＳＬ信号合成分配部８３１は、センサ８３０と監視カメラ８３２に直流電源信号を送信する（ステップＳ９０１９）。ＡＤＳＬ信号合成分配部８３１は、監視カメラ８３２に監視カメラ制御信号（ＩＰ信号）を送信する（ステップＳ９０２０）。
【０１４７】
監視カメラ８３２は、ＡＤＳＬ信号合成分配部８３１から送信された監視カメラ制御信号（ＩＰ信号）を受信する（ステップＳ９０２１）。監視カメラ８３２は、撮影した画像データ（ＩＰ信号）をＡＤＳＬ信号合成分配部８３１に送信する（ステップＳ９０２２）。ＡＤＳＬ信号合成分配部８３１のＡＤＳＬモデム８３１２は、画像データ（ＩＰ信号）をＡＤＳＬ信号に変換し、ＡＤＳＬ信号合成分配部８３１はＡＤＳＬ信号合成分配部８２４に送信する（ステップＳ９０２３）。
【０１４８】
ＡＤＳＬ信号合成分配部８２４は、ＡＤＳＬ信号合成分配部８３１から送信された画像データ（ＡＤＳＬ信号）を受信し、ＡＤＳＬ信号合成分配部８２４のＡＤＳＬモデム８２４２は、画像データ（ＡＤＳＬ信号）を画像データ（ＩＰ信号）に変換してハブ８２２に送信する（ステップＳ９０２４）。
【０１４９】
ハブ８２２は、画像データ（ＩＰ信号）を受信し、ＡＤＳＬ信号合成分配部８２１に送信する（ステップＳ９０２５）。ＡＤＳＬ信号合成分配部８２１は、画像データ（ＩＰ信号）を受信し、ＡＤＳＬ信号合成分配部８２１のＡＤＳＬモデム８２１２は、画像データ（ＩＰ信号）をＡＤＳＬ信号に変換する（ステップＳ９０２６）。
【０１５０】
ＡＤＳＬ信号合成分配部８２１は、画像データ（ＡＤＳＬ信号）をＡＤＳＬ信号合成分配部１１２に送信する（ステップＳ９０２７）。ＡＤＳＬ信号合成分配部１１２は、ＡＤＳＬ信号合成分配部８２１から送信された画像データ（ＡＤＳＬ信号）を受信する（ステップＳ９０２８）。
【０１５１】
ＡＤＳＬ信号合成分配部１１２のＡＤＳＬモデム１１２２は、受信した画像データ（ＡＤＳＬ信号）を画像データ（ＩＰ信号）に変換し、画像情報制御部１１３に送信する（ステップＳ９０２９）。画像情報制御部１１３は、画像データ（ＩＰ信号）を画像情報記憶部１１４に記憶させる（ステップＳ９０３０）。
【０１５２】
なお、警備装置８１０とセンサ８２０とセンサ８３０のデータ信号の送受信処理手順は、第１の実施の形態における図４における手順とほぼ同様であるのでここでの説明を省略する。
【０１５３】
このように、本実施の形態では、既に設置されているセンサの電源線を利用して、監視カメラの直流電源信号、制御信号、画像データを送受信することができるため、監視カメラが撮像した画像データを有線で安定して送受信することができ、信頼性の高い監視を行うことができる。また、監視カメラ用の同軸ケーブルを壁の中に配線するという大規模な工事をする必要がなく、工事期間、工事費用の削減をすることができる。
【０１５４】
また、ハブを用いることにより複数の監視カメラを配置でき、配置した複数の監視カメラに対して既に設置されているセンサの電源線を利用して、監視カメラの直流電源信号、制御信号、画像データを送受信することができるため、大規模な工事を行うことなしに、複数の監視カメラを導入することができ、画像による詳細な監視を行うことができる。
【０１５５】
さらに、電源線を延長した位置に監視カメラを設置するか否かは自由であるため、任意の位置に監視カメラを設置することができ、必要な場所にのみ監視カメラを設置することができる。
【０１５６】
さらに、第２の実施の形態と同様の機能、構成をとることにより、音声データの送受信を行うことができる。
【０１５７】
本実施の形態の効果を、図面を用いてさらに説明する。図１４は、複数のセンサが接続されている警備装置を含む監視システムの一例を示す説明図である。警備装置１２１０は、検知情報制御部１０１１と警報送信部１１５とセンサ８２０とセンサ８３０とから構成されている。
【０１５８】
検知情報制御部１０１１は、センサ８２０と信号線１５１および電源線１５４を介して接続され、さらにセンサ８２０は、センサ８３０と信号線８５７および電源線８５８を介して接続されている。
【０１５９】
従来、図１４のような構成で警備装置が構成されている場合、さらに監視カメラを設置しようとする場合は、別途監視カメラ用ケーブルを監視カメラそれぞれについて設置工事が必要となる。
【０１６０】
しかし、本実施の形態において、図１４のようなセンサのみが警備装置に接続されている状態から、監視カメラをさらに設置する場合には、図１０に示すように、ＡＤＳＬ信号合成分配部１１２、８２１を追加して設置することによってセンサ８２０の電源線１５４に用いて監視カメラ８２３の電源および監視カメラ制御信号、監視カメラからの画像データを送受信することができ、さらにＡＤＳＬ信号合成分配部８２４、８３１、ハブ８２２を追加して設置することによってセンサ８３０の電源線８５９を用いて監視カメラ８３２の電源および監視カメラ制御信号、監視カメラからの画像データを送受信することができるため、監視カメラを設置するための壁の中の配線工事を改めて行うことなく、監視カメラ８２３、８３２による監視が可能となる。
【０１６１】
よって、大規模な配線工事は必要なく、例えば２４時間営業のコンビニエンスストア等にも、営業を継続しながら監視カメラシステムの導入が可能となる。また、既に導入されているセンサシステムにおいて、誤動作が生じる場合に配線工事をすることなく、監視カメラを設置することができるため、監視カメラによる誤動作の確認が容易にできるとともに、誤動作確認後の監視カメラの撤去も容易にできる。
【図面の簡単な説明】
【０１６２】
【図１】第１の実施の形態にかかる監視システムの構成を示すブロック図である。
【図２】本実施の形態で利用するスプリッタの回路の一例を示す回路技術図である。
【図３−１】第１の実施の形態にかかる直流電源信号およびデータ信号の送受信処理の手順を示すフローチャートである。
【図３−２】第１の実施の形態にかかる直流電源信号およびデータ信号の送受信処理の手順を示すフローチャートである。
【図４】第１の実施の形態にかかるデータ信号の送受信の処理の手順を示すフローチャートである。
【図５】第２の実施の形態にかかる監視システムの構成を示すブロック図である。
【図６−１】第２の実施の形態にかかる直流電源信号およびデータ信号の送受信処理の手順を示すフローチャートである。
【図６−２】第２の実施の形態にかかる直流電源信号およびデータ信号の送受信処理の手順を示すフローチャートである。
【図７】第３の実施の形態にかかる監視システムの構成を示すブロック図である。
【図８−１】第３の実施の形態にかかる直流電源信号およびデータ信号の送受信処理の手順を示すフローチャートである。
【図８−２】第３の実施の形態にかかる直流電源信号およびデータ信号の送受信処理の手順を示すフローチャートである。
【図９】第３の実施の形態にかかるデータ信号の送受信の処理の手順を示すフローチャートである。
【図１０】第４の実施の形態にかかる監視システムの構成を示すブロック図である。
【図１１−１】第４の実施の形態にかかる直流電源信号およびデータ信号の送受信処理の手順を示すフローチャートである。
【図１１−２】第４の実施の形態にかかる直流電源信号およびデータ信号の送受信処理の手順を示すフローチャートである。
【図１１−３】第４の実施の形態にかかる直流電源信号およびデータ信号の送受信処理の手順を示すフローチャートである。
【図１１−４】第４の実施の形態にかかる直流電源信号およびデータ信号の送受信処理の手順を示すフローチャートである。
【図１２】センサが接続されている警備装置を含む監視システムの一例を示す説明図である。
【図１３】センサと監視カメラが接続された警備装置を含む監視システムの一例を示す説明図である。
【図１４】複数のセンサが接続されている警備装置を含む監視システムの一例を示す説明図である。
【符号の説明】
【０１６３】
１００  ２００  ５００  ８００  監視システム
１１０  ２１０  ５１０  ８１０  警備装置
１１１  検知情報制御部
１１２  １２１  ８２１  ８２４  ８３１  ＡＤＳＬ信号合成分配部
１１２１  １２１１  ８２１１  ８２４１  ８３１１  スプリッタ
１１２２  １２１２  ８２１２  ８２４２  ８３１２  ＡＤＳＬモデム
１１３  画像情報制御部
１１４  画像情報記憶部
２１３  音声情報制御部
２１４  音声情報記憶部
１１５  警備情報送信部
１２０  ８２０  ８３０  センサ
１２１  ８２１  ８２４  ８３１  ＡＤＳＬ信号合成分配部
８２２  ハブ
１２２  ２２２  ８２３  ８３２  監視カメラ
１３０  ネットワーク
１４０  監視センタ
１５１  ８５７  信号線
１５４  ８５９  電源線
１５２、１５３、１５５〜１５７、８５１〜８５８、８６０〜８６２  配線
５１１  キーボックス制御部
５２０  キーボックス
【図１】
2006134023.tif 000003
【図２】
2006134023.tif 000004
【図３−１】
2006134023.tif 000005
【図３−２】
2006134023.tif 000006
【図４】
2006134023.tif 000007
【図５】
2006134023.tif 000008
【図６−１】
2006134023.tif 000009
【図６−２】
2006134023.tif 000010
【図７】
2006134023.tif 000011
【図８−１】
2006134023.tif 000012
【図８−２】
2006134023.tif 000013
【図９】
2006134023.tif 000014
【図１０】
2006134023.tif 000015
【図１１−１】
2006134023.tif 000016
【図１１−２】
2006134023.tif 000017
【図１１−３】
2006134023.tif 000018
【図１１−４】
2006134023.tif 000019
【図１２】
2006134023.tif 000020
【図１３】
2006134023.tif 000021
【図１４】
2006134023.tif 000022